(57)【要約】      （修正有）【課題】手洗鉢部の背面側の壁部から手洗吐水部を突設した構成において、手洗吐水部上に水が残りにくくするとともに、手洗吐水部上について良好な清掃性を得ることができる手洗装置を提供する。【解決手段】手洗い用の水を吐出する吐水口８と、吐水口８からの吐水を受けるボウル面と、を有する手洗部を構成する手洗装置であって、ボウル面の一部をなす部分として後壁部５２を有する手洗鉢部と、吐水口８を有し、後壁部５２の上端部から前側へ向けて突設されたスパウト部２０と、を備え、後壁部５２は、手洗部の側面視でスパウト部２０の上面２０ａがなす線に沿う面であって上面２０ａと連続的な面を形成する連続面形成部１０１を有する。【選択図】図１６
2020133289.tif 000002
【特許請求の範囲】
【請求項１】
手洗い用の水を吐出する吐水口と、前記吐水口からの吐水を受けるボウル面と、を有する手洗部を構成する手洗装置であって、
前記ボウル面の一部をなす部分として背面側の壁部を有する手洗鉢部と、
前記吐水口を有し、前記背面側の壁部の上端部から前側へ向けて突設された手洗吐水部と、を備え、
前記背面側の壁部は、前記手洗部の側面視で前記手洗吐水部の上面がなす線に沿う面であって前記上面と連続的な面を形成する連続面形成部を有する
ことを特徴とする手洗装置。
【請求項２】
前記手洗吐水部の上面がなす線は、上側を凸側とした連続的な曲線である
ことを特徴とする請求項１に記載の手洗装置。
【請求項３】
前記手洗吐水部の上面は、前記背面側の壁部の上端の高さ位置よりも上側に位置し、
前記吐水口は、前記高さ位置よりも下方に位置する
ことを特徴とする請求項１または請求項２に記載の手洗装置。
【請求項４】
前記手洗吐水部は、その上面部に、前記吐水口の前端の位置よりも前側に突出した前側突出部を有する
ことを特徴とする請求項１〜３のいずれか１項に記載の手洗装置。
【請求項５】
便器と、
前記便器を洗浄するための洗浄水を貯溜する洗浄水タンクと、
前記洗浄水タンクの上方に設けられ、手洗い用の水を吐出する吐水口と、前記吐水口からの吐水を受けるボウル面と、を有する手洗部を構成する手洗装置と、を備えたトイレ装置であって、
前記手洗装置は、
前記ボウル面の一部をなす部分として背面側の壁部を有する手洗鉢部と、
前記吐水口を有し、前記背面側の壁部の上端部から前側へ向けて突設された手洗吐水部と、を備え、
前記背面側の壁部は、前記手洗部の側面視で前記手洗吐水部の上面がなす線に沿う面であって前記上面と連続的な面を形成する連続面形成部を有する
ことを特徴とするトイレ装置。
【発明の詳細な説明】
【技術分野】
【０００１】
本発明は、例えば洋式便器等の水洗便器に対して設けられる手洗装置、および手洗装置を備えたトイレ装置に関する。
【背景技術】
【０００２】
従来、トイレ装置には、例えば洋式便器等の便器に、トイレ装置の使用者が手洗いをするための手洗装置を備えたものがある。手洗装置は、便器に備え付けられるものであり、便器の後上側に設けられたタンクカバー内に、便器を洗浄するための洗浄水を貯溜する洗浄水タンクを備え、洗浄水タンクの上方に、手洗部を備える。
【０００３】
手洗部は、手洗い用の水を吐出する吐水口を構成する手洗吐水部と、吐水口からの吐水を受けるボウル面をなす手洗鉢部とを有する。手洗吐水部への給水は、例えば、水道等の給水源から洗浄水タンクに水を供給する配管から分岐した手洗い用の給水管により行われる（例えば、特許文献１参照。）。
【０００４】
特許文献１には、手洗動作による手洗部の周囲への飛沫の飛び散りを抑えるべく、手洗鉢部において、前側の壁部よりも背面側（後側）の壁部を高く構成し、前側の壁部よりも高い位置となる背面側の壁部の上端位置に、手洗吐水部（吐水装置）を設けた構成が開示されている。すなわち、特許文献１に開示された構成は、手洗鉢部において鉛直状に立ち上がっている背面側の壁部の上端部から手洗吐水部を前側へ向けて突設し、手洗吐水部の突出先端部の下側に吐水口を有する。
【先行技術文献】
【特許文献】
【０００５】
【特許文献１】特開２０１７−１１９９８７号公報
【発明の概要】
【発明が解決しようとする課題】
【０００６】
確かに、特許文献１に開示された構成によれば、手洗動作によって水跳ねが生じた場合であっても、手洗鉢部の背面側の壁部によって飛沫を受けることができ、手洗部の周囲への飛沫の飛び散りが抑制できると考えられる。一方で、手洗動作によって生じた飛沫は、手洗吐水部上に残ることで、水垢等の汚れの原因となる。
【０００７】
本発明は、手洗鉢部の背面側の壁部から手洗吐水部を突設した構成において、手洗吐水部上に水が残りにくくすることができるとともに、手洗吐水部上について良好な清掃性を得ることができる手洗装置およびトイレ装置を提供することを目的とする。
【課題を解決するための手段】
【０００８】
本発明に係る手洗装置は、手洗い用の水を吐出する吐水口と、前記吐水口からの吐水を受けるボウル面と、を有する手洗部を構成する手洗装置であって、前記ボウル面の一部をなす部分として背面側の壁部を有する手洗鉢部と、前記吐水口を有し、前記背面側の壁部の上端部から前側へ向けて突設された手洗吐水部と、を備え、前記背面側の壁部は、前記手洗部の側面視で前記手洗吐水部の上面がなす線に沿う面であって前記上面と連続的な面を形成する連続面形成部を有するものである。
【０００９】
このような構成の手洗装置によれば、手洗鉢部の背面側の壁部から手洗吐水部を突設した構成において、手洗吐水部上に水が残りにくくすることができるとともに、手洗吐水部上について良好な清掃性を得ることができる。
【００１０】
本発明に係る手洗装置の他の態様は、前記手洗吐水部の上面がなす線は、上側を凸側とした連続的な曲線であるものである。
【００１１】
このような構成の手洗装置によれば、手洗吐水部上における水捌け性を向上させることができるので、効果的に手洗吐水部上における残水の抑制、および清掃性の向上を図ることができる。
【００１２】
本発明に係る手洗装置の他の態様は、前記手洗吐水部の上面は、前記背面側の壁部の上端の高さ位置よりも上側に位置し、前記吐水口は、前記高さ位置よりも下方に位置するものである。
【００１３】
このような構成の手洗装置によれば、手洗吐水部上や手洗鉢部の背面側の壁部上における残水を抑制することができ、効果的に衛生面の向上を図ることができる。
【００１４】
本発明に係る手洗装置の他の態様は、前記手洗吐水部は、その上面部に、前記吐水口の前端の位置よりも前側に突出した前側突出部を有するものである。
【００１５】
このような構成の手洗装置によれば、手洗吐水部上あるいは手洗鉢部の背面側の壁部上に飛沫が達することを効果的に抑制することができる。
【００１６】
本発明に係るトイレ装置は、便器と、前記便器を洗浄するための洗浄水を貯溜する洗浄水タンクと、前記洗浄水タンクの上方に設けられ、手洗い用の水を吐出する吐水口と、前記吐水口からの吐水を受けるボウル面と、を有する手洗部を構成する手洗装置と、を備えたトイレ装置であって、前記手洗装置は、前記ボウル面の一部をなす部分として背面側の壁部を有する手洗鉢部と、前記吐水口を有し、前記背面側の壁部の上端部から前側へ向けて突設された手洗吐水部と、を備え、前記背面側の壁部は、前記手洗部の側面視で前記手洗吐水部の上面がなす線に沿う面であって前記上面と連続的な面を形成する連続面形成部を有するものである。
【００１７】
このような構成のトイレ装置によれば、手洗鉢部の背面側の壁部から手洗吐水部を突設した構成において、手洗吐水部上に水が残りにくくすることができるとともに、手洗吐水部上について良好な清掃性を得ることができる。
【発明の効果】
【００１８】
本発明によれば、手洗鉢部の背面側の壁部から手洗吐水部を突設した構成において、手洗吐水部上に水が残りにくくすることができるとともに、手洗吐水部上について良好な清掃性を得ることができる。
【図面の簡単な説明】
【００１９】
【図１】本発明の一実施形態に係るトイレ装置を示す斜視図である。
【図２】本発明の一実施形態に係るトイレ装置を示す側面図である。
【図３】本発明の一実施形態に係る手洗装置における流路構成を模式的に示す図である。
【図４】本発明の一実施形態に係る手洗装置の構成を示す縦断面図である。
【図５】本発明の一実施形態に係る手洗部を示す上方斜視図である。
【図６】本発明の一実施形態に係る手洗部を示す下方斜視図である。
【図７】本発明の一実施形態に係る手洗部を示す正面図である。
【図８】本発明の一実施形態に係る手洗部を示す背面図である。
【図９】本発明の一実施形態に係る手洗部を示す平面図である。
【図１０】図９におけるＡ−Ａ位置の部分断面図である。
【図１１】図９におけるＢ−Ｂ位置の部分断面図である。
【図１２】本発明の一実施形態に係るスパウト部の構成を示す底面断面図である。
【図１３】本発明の一実施形態に係るスパウト部の構成を示す下方斜視断面図である。
【図１４】本発明の一実施形態に係るスパウト部の構成を示す後方斜視図である。
【図１５】本発明の一実施形態に係る手洗鉢部の後壁部の一部を示す前方斜視図である。
【図１６】本発明の一実施形態に係るスパウト部近傍の側面図である。
【図１７】本発明の他の実施形態に係る手洗部を模式的に示す側面図である
【発明を実施するための形態】
【００２０】
本発明は、手洗鉢部の背面側の壁部から手洗吐水部を突設した構成において、手洗吐水部および手洗鉢部並びに両者の相対的な関係について形状的な工夫を施すことにより、手洗吐水部の清潔さを容易に保持することを可能にしようとするものである。以下、本発明の実施の形態について図面を参照して説明する。本実施形態では、手洗装置が、衛生洗浄装置を含む構成として、トイレ装置において洋式腰掛便器の上に設置された構成を例にとって説明する。
【００２１】
図１〜図４に示すように、本実施形態に係る手洗装置１は、便器としてのいわゆる洋式の水洗便器２に備え付けられるものであり、水洗便器２のボウル部を洗浄するための洗浄水を貯溜する洗浄水タンク３を、水洗便器２の後上方に備える。洗浄水タンク３は、タンクカバー４により覆われ、手洗装置１を構成する各種機器等とともにタンクカバー４内に収納される。
【００２２】
手洗装置１は、人体（使用者）の局部を洗浄する衛生洗浄装置としての機能を含む。そして、手洗装置１は、水洗便器２および洗浄水タンク３とともに、トイレ装置１００を構成する。
【００２３】
本実施形態の手洗装置１においては、手洗装置１に対して水洗便器２が位置する側（図２において下側）を下側とし、その反対側（同図において上側）を上側とする。また、同じく手洗装置１において、水洗便器２上において洗浄水タンク３が位置する側（図２において右側）を後側とし、その反対側（同図において左側）を前側とする。
【００２４】
手洗装置１は、タンクカバー４の前側の下部に、水洗便器２のボウル部の上端縁部に対応する便座５と、水洗便器２のボウル部を上側から便座５上から覆う便蓋６とを有する。便座５および便蓋６は、いずれもタンクカバー４の前側の下部に設けられるヒンジユニットにて連結され、このヒンジユニットの部分を回動軸部分として、上下方向に開閉可能に設けられる。
【００２５】
手洗装置１は、トイレ装置１００の使用者（以下単に「使用者」ともいう。）が手を洗うために用いられる手洗部７を備える。手洗部７は、手洗い用の水を吐出する吐水口８を構成する手洗吐水部としてのスパウト部２０を有する。スパウト部２０は、タンクカバー４の上端部の後側に取り付けられ、前側上方に延設されて、吐水口８により下側に向けて水を吐出する。吐水口８から吐出される水は、タンクカバー４の上部に設けられたボウル面９により受けられる。
【００２６】
このように、手洗装置１は、手洗い用の水を吐出する吐水口８と、吐水口８からの吐水を受けるボウル面９とを有する手洗部７を構成する。吐水口８は、洗浄水タンク３の上方に設けられ、所定の経路により供給される水を吐出する。吐水口８から吐出される水は、洗浄水タンク３に水を供給するための配管から分岐する手洗い用の給水管１０によりスパウト部２０に供給される。
【００２７】
具体的には、図３に示すように、洗浄水タンク３には、水道等の給水源からの水が、給水配管１１からバルブユニット１２を介して供給される。給水配管１１は、バルブユニット１２の下流側であって洗浄水タンク３の内部に、配管分岐部１１ａを有する。この配管分岐部１１ａにおいて、給水配管１１が、洗浄水タンク３の給水用の給水口１３と、手洗い用の給水管１０とに分岐される。つまり、配管分岐部１１ａにおいて、給水管１０は、給水口１３とは異なる流出口に連通接続されている。これにより、給水配管１１によって供給される給水源からの水が、給水管１０によってスパウト部２０に供給される。
【００２８】
バルブユニット１２は、定流量弁および給水バルブを含む。バルブユニット１２を構成する定流量弁は、給水源から供給される水量を一定量に規制する。同じくバルブユニット１２を構成する給水バルブは、その開閉動作によって、給水源からの洗浄水タンク３内への給水・止水を切り替える。
【００２９】
バルブユニット１２の給水バルブが開弁することにより、給水配管１１によって供給される給水源からの水が、配管分岐部１１ａを介して給水口１３から洗浄水タンク３内に供給される。給水バルブの開閉動作は、洗浄水タンク３内に設けられた水位センサの検知信号に基づいて、手洗装置１が備えるコントローラにより制御される。一方、給水配管１１から供給される水の一部は、配管分岐部１１ａを介して給水管１０によりスパウト部２０に供給される。
【００３０】
洗浄水タンク３内の水は、洗浄水タンク３内に設けられた排水バルブ１５を介して、洗浄水タンク３の下端部に設けられた排水口１４から排出され、水洗便器２の内部に形成される導水路を通って、水洗便器２のボウル部に供給される。排水バルブ１５は、例えば洗浄水タンク３の側面に取り付けられた状態で設けられる排水用の駆動モータにより、コントローラの制御下で駆動する。
【００３１】
一方、手洗部７においてスパウト部２０の吐水口８からボウル面９に吐出された水は、ボウル面９の下端に設けられる流出口１７から洗浄水タンク３内に排出される。流出口１７から排出される水は、流出口１７と洗浄水タンク３との間に設けられる接続部１８を介して洗浄水タンク３内に導かれる。接続部１８は、例えば略筒状の外形を有し、洗浄水タンク３の上側に設けられるとともに、流出口１７の下側に位置し、流出口１７と洗浄水タンク３の内部空間とを連通させる。
【００３２】
手洗い用の給水管１０は、洗浄水タンク３の内部の配管分岐部１１ａから洗浄水タンク３の上面部を貫通して上方へ向けて延出され、延出先端部を、スパウト部２０の後方の近傍に位置させる。給水管１０は、例えばゴムホース等の可撓性を有する部材により構成されている。
【００３３】
また、本実施形態の手洗装置１は、衛生洗浄装置であり、次のような構成を備える。すなわち、手洗装置１は、使用者の局部洗浄用のノズルを有する局部洗浄装置、局部洗浄用の温水を生成するための熱交換器、水洗便器２内の脱臭を行うための脱臭装置、各部の動作を制御するコントローラ、コントローラ等に接続される各種電装部品、各種弁機構等、各種の装置・機器を備える。これらの各種の装置・機器は、洗浄水タンク３とともにタンクカバー４内に収納されている。
【００３４】
次に、タンクカバー４について、図５〜図９を用いて説明する。タンクカバー４は、その下側の大部分をなす部分であって洗浄水タンク３を覆う部分であるタンクカバー部２１と、タンクカバー４の上部をなす部分であって手洗部７のボウル面９を形成する手洗鉢部２２とを有する。タンクカバー４は、タンクカバー部２１の略全体を形成する部材であるカバー下部材２３と、手洗鉢部２２の略全体を形成する部材であるカバー上部材２４とを有する。
【００３５】
すなわち、本実施形態のタンクカバー４においては、タンクカバー部２１と手洗鉢部２２とが互いに別体の部品により構成されている。カバー下部材２３およびカバー上部材２４は、タンクカバー４としての一体的な外形をなすように、互いに滑らかに連続した壁面部を形成する。タンクカバー４は、スパウト部２０とともに左右対称な形状を有する。カバー下部材２３およびカバー上部材２４は、例えば合成樹脂やセラミックス等を材料として成形された部材である。
【００３６】
ただし、タンクカバー４は、タンクカバー部２１および手洗鉢部２２を含む略全体を、一体の成形品等の部品により構成したものであってもよい。つまり、手洗鉢部２２を含んでタンクカバー４の略全体をなす部品として、成形品等の一体の部材が用いられてもよい。また、タンクカバー４は、例えばその前部および後部のそれぞれをなす別体の部品により構成されたものであってもよい。
【００３７】
タンクカバー部２１は、洗浄水タンク３と、上述のとおり衛生洗浄装置としての手洗装置１が備える各種の装置・機構とを収納する部分である。タンクカバー部２１は、その内部空間を形成する部分として、前側壁部３１、後側壁部３２、左右両側の側壁部３３，３３を有する。
【００３８】
タンクカバー部２１をなすカバー下部材２３は、前後左右の壁部により、前面視および後面視で略台形状の外形をなし、側面視で前面視および後面視の外形よりも幅狭の略台形形状をなすとともに、上側を平面視で略横長矩形状に開口させている。カバー下部材２３は、タンクカバー部２１の前後左右の側壁部の上端部とつながった水平状の上面部３５を有し、上面部３５において、略横長矩形状の開口部３５ａを形成している（図４参照）。上面部３５は、開口部３５ａにより、略枠状の面部分となっている。
【００３９】
手洗鉢部２２は、ボウル面９を形成するボウル面部４０を有する。ボウル面部４０は、前面部４１、後面部４２、左右の側面部４３，４３、および底面部４４を有する。これらの面部は、滑らかに連続し、内側の面により、平面視での略中央部に向けて全体的に窪んだ凹状のボウル面９を形成している。特に、底面部４４は、前後左右の面部と滑らかに連続して、下側に凸の椀形状をなし、その略中央部に、流出口１７を開口させている。
【００４０】
手洗鉢部２２は、全体として、タンクカバー部２１の下側から上側にかけての窄み形状にならうように、下側から上側にかけてわずかに窄んだ形状を有する。手洗鉢部２２は、その外形をなす部分として、正面側の壁部である前壁部５１と、前壁部５１よりも高い背面側の壁部である後壁部５２と、左右の壁部である側壁部５３，５３とを有する。これらの壁部のうち、ボウル面９をなす側である内側の面部は、ボウル面部４０により形成されており、外側の面部は、タンクカバー部２１の各壁部とともに面一状をなす外側面部により形成されている。具体的には次のとおりである。
【００４１】
手洗鉢部２２において、前壁部５１の内側（後側）は、ボウル面部４０の前面部４１により形成されており、前壁部５１の外側（前側）は、タンクカバー部２１の前側壁部３１に対してその上側に面一状に連続した前外側面部６１により形成されている。同様に、後壁部５２の内側（前側）は、ボウル面部４０の後面部４２により形成されており、後壁部５２の外側（後側）は、タンクカバー部２１の後側壁部３２に対してその上側に面一状に連続した後外側面部６２により形成されている。また、左右の側壁部５３の内側は、ボウル面部４０の側面部４３により形成されており、側壁部５３の外側は、タンクカバー部２１の側壁部３３に対してその上側に面一状に連続した側方外側面部６３により形成されている。
【００４２】
手洗鉢部２２において、前壁部５１をなす前面部４１および前外側面部６１は、下側から上側にかけて互いの間の間隔を徐々に狭くするように互いに対向した面部であり、前壁部５１の上端部において稜線部を形成するように連続しており、互いの間に中空部を形成している。同様に、後壁部５２は、後面部４２および後外側面部６２を、下側から上側にかけて互いの間の間隔を徐々に狭くするように対向させており、後壁部５２の上端部において稜線部を形成するように連続させ、内外の面部間に中空部を形成している。また、左右の側壁部５３は、それぞれ、側面部４３および側方外側面部６３を、下側から上側にかけて互いの間の間隔を徐々に狭くするように対向させており、側壁部５３の上端部において稜線部を形成するように連続させ、内外の面部間に中空部を形成している。
【００４３】
手洗鉢部２２において、前後左右の壁部の上縁をなす稜線部は、平面視で、四隅を略Ｒ形状をなす湾曲状の角部とした略矩形状をなすように連続している（図９参照）。また、手洗鉢部２２において、前後左右の壁部の内部空間は、全体として連続した空間部を形成しており、この手洗鉢部２２の空間部は、タンクカバー部２１の内部空間と形状的に連続している。また、手洗鉢部２２において、後壁部５２の内部空間５２ｓに、スパウト部２０に水を供給するための給水管１０が配管されている。
【００４４】
手洗鉢部２２をなすカバー上部材２４は、タンクカバー部２１をなすカバー下部材２３に対し、上面部３５の開口部３５ａに対して上側から、下方に膨出したボウル面部４０の下部を挿入させた状態で、カバー下部材２３に固定されている。カバー上部材２４は、上面部３５に形成された係合部等によってカバー下部材２３に固定されている。
【００４５】
手洗鉢部２２において、前壁部５１は、後壁部５２に対して低く形成されている。本実施形態では、上面部３５の高さ位置を基準とした場合、前壁部５１は、例えば、後壁部５２の高さの１／３〜１／５程度の高さである。したがって、正面視において、後壁部５２の大部分が前壁部５１の上側に表れている（図７参照）。また、後壁部５２の左右両側の角部は、正面視で略Ｒ形状をなすように湾曲状の角部をなしており、滑らかに側壁部５３につながっている。
【００４６】
左右の側壁部５３は、その上縁部の後側を、後壁部５２の上縁部の左右両側に対して滑らかに連続させるとともに、上縁部の前側を、前壁部５１の上縁部の左右両側に対して滑らかに連続させた形状を有する。したがって、左右の側壁部５３は、その上縁部を、前壁部５１と後壁部５２の高低差にならって前下がりに傾斜させた形状を有する。側壁部５３の上縁部は、側面視において全体的に凹状に湾曲している。
【００４７】
手洗鉢部２２は、その後壁部５２の後外側面部６２の一部を、カバー上部材２４に対して着脱可能な背面蓋体３０により形成している。背面蓋体３０は、後外側面部６２と略同じ厚さの板状の部材であり、後外側面部６２において背面蓋体３０の外形に対応するように形成された開口部６２ａを塞いだ状態で、後外側面部６２の一部を形成する。背面蓋体３０は、上側の左右両角部を面取した略矩形状を有し、後外側面部６２の左右中央部の上側寄りの部位を形成している（図８参照）。
【００４８】
背面蓋体３０は、弾性変形して係合作用を得る係止爪等の所定の係合形状を有し、開口部６２ａを塞ぐように後外側面部６２に取り付けられる。開口部６２ａは、手洗鉢部２２の後壁部５２の内部空間を、後外側面部６２から外部に開口させる。背面蓋体３０による窓部構造は、手洗鉢部２２の内部空間への外部からのアクセスを可能とするものであり、例えば給水管１０の配管作業の際に利用される。なお、図１０および図１３においては、便宜上、背面蓋体３０の図示を省略している。
【００４９】
次に、スパウト部２０の構成について、図５〜図１６を用いて説明する。スパウト部２０は、スパウト部２０の意匠面をなすスパウトカバー体７１と、スパウトカバー体７１内において水の流路を形成する流路形成部体７２と、給水管１０と流路形成部体７２とを連通接続させる接続パイプ７３とを有する。これらの部材は、例えば金属製あるいは樹脂製の部材である。
【００５０】
スパウト部２０は、スパウトカバー体７１内に流路形成部体７２を嵌合させるとともに、接続パイプ７３を、後壁部５２をなす後面部４２に貫通させた状態で、ボルト７４により後面部４２に固定されている。スパウト部２０において、接続パイプ７３の下端部に、給水管１０の上端部が連通接続されている。
【００５１】
スパウトカバー体７１は、平面視で略三角形状をなすスパウト上面部７５と、スパウト上面部７５に対向するスパウト下面部７６と、スパウト上面部７５とスパウト下面部７６とをつなぐ面部であるスパウト側周面部７７とを有する。スパウトカバー体７１は、これらの面部により、中空部を形成するとともに、後側を全体的に開口させている。スパウトカバー体７１の後側の開口形状は、下側を凸側とした偏平な略半円形状となっている（図１１参照）。
【００５２】
スパウト上面部７５は、スパウトカバー体７１の平面視外形をなしている。スパウト上面部７５は、平面視において、前側を頂点側とする略二等辺三角形状を有するとともに、頂角部を略円弧状のＲ形状部としている。スパウト上面部７５は、左右方向については、略水平方向に沿うような形状、詳細にはわずかに上側に凸の曲線をなす曲面形状を有する。スパウト上面部７５は、前後方向については、わずかに上側に凸の湾曲線をなす曲面形状を有する。スパウト上面部７５は、全体としては、上側を凸側としたなだらかな曲面をなす面部となっている。スパウト上面部７５の上面７５ａが、スパウト部２０の上面２０ａとなる。
【００５３】
スパウト下面部７６は、スパウト上面部７５の下方においてスパウト上面部７５の中間部に対して対向する曲面部である。スパウト下面部７６は、スパウト上面部７５の平面視形状である略二等辺三角形状に沿うような形状を有する。スパウト下面部７６の前端部には、吐水口８を形成する開口部７６ａが円形状に開口している。詳細には、開口部７６ａは、スパウト上面部７５の平面視形状における頂部が沿う円周形状に対して略同心となる位置に形成されている。
【００５４】
スパウト側周面部７７は、スパウト上面部７５の平面視形状である略二等辺三角形状の斜辺部および頂部について、上側から下側にかけて外側から内側に向けて傾斜した斜面部である。つまり、スパウト下面部７６は、スパウト上面部７５に対して後側以外の部分について一回り小さい略二等辺三角形状となっており、スパウト側周面部７７は、下窄まりの形状をなす斜面部として、スパウト上面部７５とスパウト下面部７６とを傾斜状につなげている。
【００５５】
スパウト側周面部７７は、スパウト上面部７５に対しては、スパウト上面部７５の平面視外形に沿う稜線部７８を形成するように連続している。一方、スパウト側周面部７７とスパウト下面部７６は、滑らかに連続した曲面をなすようにつながった面部同士となっている。すなわち、スパウトカバー体７１は、比較的平坦なスパウト上面部７５と、スパウト上面部７５よりも下側の部分であってスパウト下面部７６およびスパウト側周面部７７により形成された下側に凸の膨出状の曲面部との組合せにより形成されている。
【００５６】
流路形成部体７２は、平面視で前後方向に沿う略直線状の本体流路８１ａを形成する略筒状の本体部８１を有する。本体流路８１ａは、本体部８１において後側に開口している。本体部８１の前側には、略円筒状に形成された吐出口部８２が設けられている。吐出口部８２は、本体流路８１ａに対してその前側に連通するとともに下側に開口した円筒状の空間を形成する部分である。吐出口部８２には、吐水口８を構成する整流口部材８３が取り付けられている。
【００５７】
整流口部材８３は、円筒状の外形を有する部材であり、その筒軸方向に貫通するように整流流路を形成している。整流口部材８３は、吐出口部８２に対してその円筒状の空間の開口を塞ぐように嵌め込まれた状態で、流路形成部体７２に固定されている。整流口部材８３は、その筒軸方向の一側（下側）の部分を、吐出口部８２から突出させるとともに、その突出部分を、スパウトカバー体７１のスパウト下面部７６の開口部７６ａ内に臨ませるように設けられている。整流口部材８３は、その下端面８３ａを、開口部７６ａ内に位置させている。
【００５８】
このように、スパウト部２０の吐水口８は、スパウトカバー体７１の下部の開口部７６ａに、流路形成部体７２の本体流路８１ａに連通した整流口部材８３を臨ませた構成を有する。整流口部材８３の筒軸方向が、吐水口８からの吐水方向となる。本実施形態では、吐水口８からの吐水方向は、鉛直方向（上下方向）に対して約１０〜２０°の範囲内の角度をなす下斜め前方となっている。そして、この吐水口８からの吐水方向は、後壁部５２からのスパウト部２０の突出方向、つまり本体流路８１ａの流路方向に対して略直角をなす方向となっている。なお、吐水口８からの吐水方向は、特に限定されるものではない。
【００５９】
流路形成部体７２は、本体部８１の後部の左右両側において、ボルト７４の螺挿を受けるボス部８４を有する。ボス部８４には、後側に開口した雌ネジ穴８４ａが形成されている。本体部８１の後部の周囲には、正面視で左右方向を長手方向とする略矩形状の外形をなすとともに本体部８１の通水方向を板厚方向とした矩形板状のフランジ部８５が形成されている。フランジ部８５の後側には、フランジ部８５の外形の範囲内に、左右方向を長手方向とする略楕円形状に沿う隆起状の突出部８６が形成されている。突出部８６の左右両側の部位に、ボス部８４の雌ネジ穴８４ａが開口している。
【００６０】
また、流路形成部体７２において、本体部８１の周囲には、所定の形状を有するリブ部８７が複数箇所に形成されている。これらのリブ部８７は、流路形成部体７２とスパウトカバー体７１の係合用の形状部として用いられるものを含む。一方、スパウトカバー体７１の内周側には、係合用の形状部としてのリブ部８７に対応した係合用の形状部が形成されている。すなわち、流路形成部体７２は、スパウトカバー体７１に対して後側の開口から差し込まれることで、係合用の形状部同士の係合作用により、スパウトカバー体７１に固定された状態となる。なお、スパウトカバー体７１に対する流路形成部体７２の固定構造は、特に限定されるものではなく、例えば、ボルト等の締結具を用いた固定構造が用いられてもよい。
【００６１】
接続パイプ７３は、その下流側をなす管部であって本体流路８１ａの流路方向に沿う横管部９１と、接続パイプ７３の上流側をなす管部であって略鉛直方向に沿う縦管部９２とを有し、全体として鈍角をなす屈曲状の配管部材である。つまり、接続パイプ７３は、横管部９１および縦管部９２により、鈍角をなす屈曲状の管路７３ａを形成する。本実施形態において、横管部９１と縦管部９２とがなす角度は、例えば約１００〜１１０°の範囲内の角度である。ただし、横管部９１と縦管部９２とがなす角度は、特に限定されるものではない。
【００６２】
接続パイプ７３は、その横管部９１の大部分を、流路形成部体７２に対して本体部８１の後側の開口から本体部８１内に挿入させることで、本体流路８１ａと連通している。横管部９１の外周面と本体部８１の内周面との間には、シール部材として横管部９１に外嵌されたＯリング９３が介在している。
【００６３】
接続パイプ７３において、縦管部９２の下部には、フランジ部９２ａが形成されており、フランジ部９２ａよりも下側の部分が、給水管１０に対する差込口部９２ｂとなっている。すなわち、差込口部９２ｂが、給水管１０の上端部に差し込まれた状態で、接続パイプ７３と給水管１０とが互いに連通接続されている。給水管１０は、差込口部９２ｂを挿入させた状態で、所定の固定具９４により接続パイプ７３に固定されている（図１４参照）。接続パイプ７３は、横管部９１と縦管部９２とがなす角部よりも上流側の部分、つまり縦管部９２の全体を含む部分を、手洗鉢部２２の後壁部５２の内部空間５２ｓ内に位置させている。
【００６４】
以上のような構成を備えたスパウト部２０は、手洗鉢部２２に対し、後壁部５２の上縁部の左右中央部に設けられている。スパウト部２０は、後壁部５２の前側の壁部をなす後面部４２に対して、接続パイプ７３の横管部９１を貫通させた状態で、ボルト７４により左右２箇所で固定されている。具体的には次のとおりである。
【００６５】
図１２、図１３および図１５に示すように、後壁部５２の前部をなす後面部４２においては、その上縁部の左右中央部に、接続パイプ７３の横管部９１を貫通させるための矩形状の開口部４２ａが形成されている。後面部４２において、開口部４２ａを形成する部分は、後面部４２の他の部分に対して段差状に後側に突出した取付座面部４２ｂとなっている。取付座面部４２ｂは、後面部４２の前側において、流路形成部体７２の後端部の突出部８６の形状に対応した横長の略楕円状の凹部４２ｃを形成している。取付座面部４２ｂの左右両側の部位には、ボルト７４を貫通させるボルト孔４２ｄが形成されている。
【００６６】
以上のような構成により、互いに嵌合固定されたスパウトカバー体７１および流路形成部体７２を含む組付け体が、スパウトカバー体７１の後側の開口端から突出した流路形成部体７２の突出部８６を、後面部４２の前側の凹部４２ｃに嵌合させた状態で、ボルト７４により、左右２箇所で後面部４２に固定されている。ここで、ボルト７４は、後面部４２の取付座面部４２ｂを貫通するとともに、流路形成部体７２の雌ネジ穴８４ａに螺挿され、流路形成部体７２と後面部４２とを締結する。
【００６７】
上記の組付け体が後面部４２に固定された状態において、スパウトカバー体７１の後側の開口部は、後面部４２によって塞がれた状態となる。スパウトカバー体７１の後側の開口端部の内側において、流路形成部体７２のフランジ部８５と後面部４２との間には、突出部８６に外嵌された楕円形状のシールリング９５が介装されている。
【００６８】
以上のような構成を備えたスパウト部２０は、後壁部５２の上端部の左右中央部の前側から、斜め上方に向けて突出するように設けられている。後壁部５２からのスパウト部２０の突出方向は、側面視で水平方向（前後方向）に対して約１０〜２０°程度の角度をなす傾斜方向である。スパウト部２０は、その先端部を、平面視において、ボウル面９の略中央部に開口した流出口１７の近傍に位置させている（図９参照）。また、スパウト部２０の左右幅は、後壁部５２の左右方向の寸法に対して約１／４程度の寸法となっている。
【００６９】
以上のようなスパウト部２０においては、給水管１０から供給された水が、接続パイプ７３の管路７３ａ内を通って流路形成部体７２の本体流路８１ａ内に流入し、本体流路８１ａを通って整流口部材８３を通過し、スパウトカバー体７１の開口部７６ａから吐出される。このようにして、給水管１０からスパウト部２０に供給された水が、吐水口８から吐出される。
【００７０】
また、スパウト部２０においては、スパウトカバー体７１のスパウト下面部７６において、開口部７６ａの後方の部位に、水切り用の凹部７６ｂが形成されている。凹部７６ｂは、開口部７６ａの直径と略同じ長さを有する横長矩形状の窪み部である（図１２参照）。凹部７６ｂは、スパウト部２０において後下がりの傾斜面部となるスパウト下面部７６において、開口部７６ａの後側近傍に形成されており、開口部７６ａから伝ってきた水を滴下させる。凹部７６ｂにより、開口部７６ａの近傍に残った水がスパウト下面部７６を伝って後側に流れることが防止される。
【００７１】
以上のように、本実施形態に係る手洗装置１は、ボウル面９の一部をなす部分として後壁部５２を有する手洗鉢部２２と、吐水口８を有し後壁部５２の上端部から前側へ向けて突設された手洗吐水部としてのスパウト部２０とを備える。このように手洗鉢部２２の背面側の壁部である後壁部５２からスパウト部２０を突設した構成において、手洗装置１は、スパウト部２０と後壁部５２との間に形状的な特徴を有する。かかる形状的な特徴について以下に説明する。
【００７２】
手洗装置１において、手洗鉢部２２の後壁部５２は、手洗部７の側面視でスパウト部２０の上面２０ａがなす線に沿う面であって上面２０ａと連続的な面を形成する連続面形成部１０１を有する。連続面形成部１０１は、後壁部５２の上縁部をなす面部であり、後壁部５２の左右方向の略全体にわたって形成されている。
【００７３】
具体的には、連続面形成部１０１は、後壁部５２を形成する面部のうち、後外側面部６２の一部として形成されている。後外側面部６２は、その外形をなす部分として、上側面部である連続面形成部１０１と、下側面部である絶壁状面部１０２とを有する。後外側面部６２は、その略全体を、切り立った壁面部である絶壁状面部１０２とし、絶壁状面部１０２の上側に、連続面形成部１０１を有する。
【００７４】
絶壁状面部１０２は、鉛直方向に対してわずかに傾斜した前傾状の面部である。絶壁状面部１０２は、側面視において、鉛直方向に対して例えば５°程度の角度をなすように傾斜している。絶壁状面部１０２の傾斜は、タンクカバー４のタンクカバー部２１における後側壁部３２の傾斜にならったものであり、タンクカバー４において、絶壁状面部１０２は、後側壁部３２とともに面一状の後面部を形成している。また、絶壁状面部１０２は、平面視において、後側を凸側として全体的に緩やかに湾曲した形状を有する（図９参照）。なお、後外側面部６２においては、絶壁状面部１０２に、上述した背面蓋体３０による窓部構造が設けられている。
【００７５】
このような絶壁状面部１０２に対し、連続面形成部１０１は、絶壁状面部１０２とともに屈曲状の面部をなすように形成されている。連続面形成部１０１は、絶壁状面部１０２の上端縁部から斜め上方に向けて傾斜状に前側に出た前上がりの傾斜状の面部である。連続面形成部１０１の幅方向（図１０の断面視における長さ方向）の大部分は、側面視において、水平方向に対して例えば３０°程度の角度をなすように傾斜している。したがって、連続面形成部１０１および絶壁状面部１０２は、側面視において１２５°程度の角度をなすように屈曲状に形成されている。ただし、連続面形成部１０１および絶壁状面部１０２それぞれの傾斜度合、並びに連続面形成部１０１および絶壁状面部１０２がなす角度は、特に限定されるものではない。
【００７６】
連続面形成部１０１は、後壁部５２の背面視での外形に沿うように、後壁部５２の上縁部の略全体にわたって形成されている（図８参照）。そして、連続面形成部１０１は、後壁部５２において、後側の絶壁状面部１０２と前側の後面部４２との間の面部であり、後壁部５２の上面部（天面部）を形成した態様となっている。すなわち、連続面形成部１０１は、その上側（前側）において、後壁部５２の前側の面部である後面部４２とともに、後壁部５２の稜線部１０３を形成している。つまり、後面部４２の上側の縁部と、連続面形成部１０１の前側の縁部とは、稜線をなすように断面視で屈曲状に連続し、稜線部１０３を形成している。一方、連続面形成部１０１は、その下側（後側）において、絶壁状面部１０２とともに後外側面部６２の稜線部１０４を形成している。つまり、絶壁状面部１０２の上側の縁部と、連続面形成部１０１の後側の縁部とは、稜線をなすように断面視で屈曲状に連続し、稜線部１０４を形成している。なお、後壁部５２の稜線部１０３は、手洗鉢部２２における他の壁部の上縁の稜線部とともに略矩形状をなすように連続している（図９参照）。
【００７７】
このような連続面形成部１０１の上面１０１ａが、スパウト部２０の上面２０ａに対して、連続的な面となる。スパウト部２０は、上述のとおり、手洗鉢部２２の後壁部５２に対してその上縁部の左右中央部に設けられている。そして、スパウト部２０は、その上面２０ａの後端、つまりスパウトカバー体７１の後側の開口端をなすスパウト上面部７５の後端を、連続面形成部１０１の前端部、つまり後壁部５２の稜線部１０３に接触ないし略接触させている。
【００７８】
このような構成において、後壁部５２の連続面形成部１０１は、その上面１０１ａにより、スパウト部２０の上面２０ａに対して連続的な面を形成している。つまり、連続面形成部１０１の上面１０１ａと、スパウト部２０の上面２０ａとは、形状的に連続した所定の曲面に沿うように、一連の曲面を形成している。
【００７９】
詳細には、図１６に示すように、手洗鉢部２２の側面視において、連続面形成部１０１の上面１０１ａおよびスパウト部２０の上面２０ａは、所定の連続的な湾曲形状を有する仮想曲線Ｃ１に沿った形状を有し、互いに連続的な面を形成している。つまり、連続面形成部１０１の上面１０１ａおよびスパウト部２０の上面２０ａは、仮想曲線Ｃ１が沿う連続的な曲面形状に沿うように滑らかに連続している。この仮想曲線Ｃ１は、手洗部７の側面視でスパウト部２０の上面２０ａがなす線に沿った線となる。
【００８０】
また、図１６に示すように、連続面形成部１０１の上面１０１ａと、スパウト部２０の上面２０ａとは、微細な溝部１０５を介して連続しており、面一状に略連続した所定の曲面形状を形成している。ここで、微細な溝部１０５は、連続面形成部１０１の上面１０１ａをなすカバー上部材２４と、スパウト部２０の上面２０ａ（上面７５ａ）をなすスパウトカバー体７１との部材間において、各部材の角部の微細なＲ形状部同士が合わさった境界部である。
【００８１】
後壁部５２は、左右方向について、少なくともスパウト部２０の上面２０ａに連続する部分、つまりスパウト部２０の上面２０ａの後端の左右幅の範囲内の部分において、連続面形成部１０１の上面１０１ａを、スパウト部２０の上面２０ａに滑らかに連続させた形状を有する。本実施形態では、後壁部５２は、連続面形成部１０１の左右方向の全体について、滑らかに連続した曲面形状を有する。すなわち、連続面形成部１０１は、スパウト部２０の上面２０ａの後側において上面１０１ａが連続する左右中央部分だけではなく、その左右両外側の部分についても、左右中央部分の上面１０１ａが沿う曲面の湾曲形状にならい、連続的な所定の曲面形状に沿った形状を有する。
【００８２】
このように連続面形成部１０１の上面１０１ａおよびスパウト部２０の上面２０ａが沿う曲面形状は、手洗鉢部２２の背面視において、左右方向について、上側を凸側としてわずかに湾曲している。この背面視における湾曲形状にならうように、連続面形成部１０１は、左右方向について全体的に上側を凸側とした緩やかな湾曲形状をなしている（図８参照）。
【００８３】
このように、スパウト部２０の上面２０ａをなすスパウト上面部７５は、連続面形成部１０１の左右中央部がその上面１０１ａが沿う所定の曲面形状にならうように前側に突出状に延設された態様の形状を有する。そして、後壁部５２は、連続面形成部１０１の略全体について、スパウト上面部７５とともに、一体的に連続した共通の曲面形状に沿う形状を有する。
【００８４】
また、本実施形態において、側面視でスパウト部２０の上面２０ａがなす線は、上側を凸側とした連続的な曲線である。すなわち、図１６に示すように、手洗部７の側面視において、スパウト部２０の上面２０ａがなす線は、連続面形成部１０１の上面１０１ａがなす線とともに仮想曲線Ｃ１に沿った曲線であり、かかる曲線が、上側を凸側とした所定の湾曲形状に沿う曲線となっている。
【００８５】
したがって、スパウト部２０の上面２０ａをなすスパウト上面部７５は、前後方向および左右方向それぞれの方向について、上側を凸側として緩やかに湾曲している。そして、スパウト上面部７５は、全体として外側（上側）にわずかに膨出した態様の緩やかな曲面形状を有する。
【００８６】
また、本実施形態に係るスパウト部２０は、手洗鉢部２２の後壁部５２との関係で、次のような構成を備えている。すなわち、スパウト部２０の上面２０ａは、後壁部５２の上端の高さ位置よりも上側に位置し、吐水口８は、後壁部５２の上端の高さ位置よりも下方に位置している。
【００８７】
具体的には、図１６に示すように、後壁部５２の上端の高さ位置（上下方向についての位置）は、連続面形成部１０１と後面部４２とがなす稜線部１０３の高さ位置Ｈ１となる。この後壁部５２の上端の高さ位置Ｈ１に対し、スパウト部２０の上面２０ａが、高さ位置Ｈ１よりも上側に位置している。
【００８８】
本実施形態では、上述したように、スパウト部２０は、その上面２０ａの後端を、後壁部５２の稜線部１０３に接触ないし略接触させている。このため、スパウト部２０は、その上面２０ａの全体、つまりスパウト上面部７５の全体を、後壁部５２の上端の高さ位置Ｈ１よりも上側に位置させている。
【００８９】
また、スパウト部２０は、後壁部５２の上端の高さ位置Ｈ１との関係で、吐水口８を、高さ位置Ｈ１よりも下方に位置させている。本実施形態では、吐水口８は、スパウト下面部７６の前端部に設けられている。この吐水口８の上端の高さ位置Ｈ２が、高さ位置Ｈ１よりも下方に位置している。つまり、吐水口８の全体が、高さ位置Ｈ１よりも下方に位置している。ここで、吐水口８の上端の高さ位置Ｈ２は、スパウト下面部７６の表面７６ｃにおける開口部７６ａの上端の高さ位置である。
【００９０】
また、本実施形態に係るスパウト部２０は、後壁部５２との関係で次のような構成を備えている。すなわち、スパウト部２０は、その上面部であるスパウト上面部７５に、吐水口８の前端の位置よりも前側に突出した前側突出部７５ｄを有する。
【００９１】
具体的には、図１６に示すように、吐水口８の前端の位置は、前後方向について、スパウト下面部７６の表面７６ｃにおける開口部７６ａの前端の位置Ｌ１である。この前後方向の位置Ｌ１を規定する部位は、上述のとおり吐水口８の上端の高さ位置Ｈ２を規定する部位と同じである。吐水口８の前端の位置Ｌ１に対し、スパウト部２０は、スパウト上面部７５の前端部を、位置Ｌ１よりも前側に突出させており、その突出部分を前側突出部７５ｄとしている。
【００９２】
本実施形態では、スパウト部２０は、スパウトカバー体７１において、スパウト上面部７５の位置Ｌ１よりも前側の部分である前側突出部７５ｄに加え、スパウト下面部７６の位置Ｌ１よりも前側へのはみ出し部分７６ｄと、スパウト側周面部７７の位置Ｌ１よりも前側へのはみ出し部分７７ｄとを有する。このようにスパウトカバー体７１において位置Ｌ１よりも前側に突出した部分は、スパウト部２０の前端部であり、前側突出部７５ｄおよびスパウト側周面部７７のはみ出し部分７７ｄにより、側面視において鋭角状に前方へ向けて突出した部分となっている。
【００９３】
以上説明した本実施形態に係る手洗装置１およびそれを備えたトイレ装置１００によれば、手洗鉢部２２の後壁部５２からスパウト部２０を突設した構成において、スパウト部２０上に水が残りにくくすることができるとともに、スパウト部２０上について良好な清掃性を得ることができる。
【００９４】
本実施形態に係る手洗装置１は、手洗鉢部２２の後壁部５２において、連続面形成部１０１を有することで、スパウト部２０の上面２０ａと、後壁部５２の上面つまり連続面形成部１０１の上面１０１ａとが形状的に連続した構成を有する。つまり、スパウト部２０の上面２０ａと連続面形成部１０１の上面１０１ａとが、側面視において所定の湾曲形状を有する仮想曲線Ｃ１に沿うように一連の曲面を形成している。
【００９５】
このような構成によれば、スパウト部２０の吐水口８からの吐水による手洗動作によって生じた飛沫がスパウト部２０上に残ることを抑制することができるので、スパウト部２０上において残り水による水垢等の汚れが発生することを抑制することができる。また、スパウト部２０と後壁部５２の連続的な形状により、スパウト部２０の上面２０ａを布等で拭うときに、良好な清掃性を得ることができる。
【００９６】
すなわち、例えば、スパウト部２０と後壁部５２との間に段差や凹部等が存在し、スパウト部２０の上面２０ａと後壁部５２の上面とが非連続的な形状をなす構成の場合、段差や凹部等に、手洗動作にともなう飛沫等の水が残存しやすくなり、水垢等の汚れが発生しやすくなる。また、段差や凹部等が存在する場合、スパウト部２０の上面２０ａを布等で拭うときに、引っ掛かりや拭き残しが生じやすくなるので、良好な清掃性が得られない可能性がある。これに対し、本実施形態に係る手洗装置１によれば、スパウト部２０と後壁部５２の連続的な形状により、スパウト部２０上における残水を抑制できるとともに、拭き掃除の際に引っ掛かりや拭き残しが生じにくくなって良好な清掃性が得られ、衛生面の向上を図ることができる。
【００９７】
また、スパウト部２０と後壁部５２の連続的な形状によれば、スパウト部２０と後壁部５２との形態的な関係において一体感を得ることができ、すっきりとした印象、シャープな外観を呈することができるので、良好な意匠性を得ることができる。特に、本実施形態では、左右方向について、スパウト上面部７５が、後壁部５２の上縁部の形状に沿うように湾曲した形状を有する。これにより、手洗鉢部２２の正面視においても、スパウト部２０が存在することによる凹凸感（スパウト部２０の上方への突出感）がなく、スパウト部２０と後壁部５２との形態的な一体感を得ることができ、良好な意匠性を得ることができる。
【００９８】
また、本実施形態に係る手洗装置１において、スパウト部２０の上面２０ａが側面視でなす線が、上側を凸側とした連続的な曲線となっている。
【００９９】
このような構成によれば、スパウト部２０上における水捌け性を向上させることができるので、効果的にスパウト部２０上における残水の抑制、および清掃性の向上を図ることができる。特に、本実施形態のスパウト部２０は、スパウト上面部７５において全体的に上側にわずかに膨出した態様の緩やかな曲面形状を有することから、良好な水捌け性を得ることができる。
【０１００】
また、本実施形態に係る手洗装置１において、スパウト部２０の上面２０ａは、後壁部５２の上端の高さ位置よりも上側に位置し、吐水口８は、同高さ位置よりも下方に位置している。
【０１０１】
このような構成によれば、吐水口８からの吐水による手洗動作によって生じた飛沫が、スパウト部２０上あるいは後壁部５２上に達することを抑制することができる。これにより、スパウト部２０上や後壁部５２上における残水を抑制することができ、効果的に衛生面の向上を図ることができる。
【０１０２】
また、本実施形態に係る手洗装置１において、スパウト部２０は、スパウト上面部７５に、吐水口８の前端の位置よりも前側に突出した前側突出部７５ｄを有する。
【０１０３】
このような構成によれば、吐水口８から吐出された水が手に当たって跳ね返ること等で上方に飛散することを抑制することができる。これにより、スパウト部２０上あるいは後壁部５２上に飛沫が達することを効果的に抑制することができる。
【０１０４】
また、本実施形態に係る手洗装置１は、スパウト部２０のスパウト下面部７６において、吐水口８の後側に水切用の凹部７６ｂを有する。
【０１０５】
このような構成によれば、スパウト部２０の外形形状に影響を与えることなく、吐水口８から吐出された水がスパウト下面部７６を伝って後壁部５２側に達することを抑制することができる。これにより、意匠性を損なうことなく、後壁部５２における水垢等の汚れを抑制することができる。
【０１０６】
特に、本実施形態に係るスパウト部２０は、スパウト側周面部７７によってスパウト上面部７５からスパウト下面部７６にかけて下窄まりの形状を有し、そのスパウト下面部７６に水切用の凹部７６ｂを有する。このような構成によれば、スパウトカバー体７１の下窄まりの形状と相俟って、凹部７６ｂにより良好な水切性を得ることができる。
【０１０７】
以上のように実施形態を用いて説明した本発明に係る手洗装置は、上述した実施形態に限定されず、本発明の趣旨に沿う範囲で、種々の態様を採用することができる。
【０１０８】
上述した実施形態では、スパウト部２０は、平面視で略二等辺三角形状を有するが、このような構成に限定されるものではない。スパウト部２０は、例えば、平面視で四角形状や半円形状を有するものであってもよい。
【０１０９】
上述した実施形態では、スパウト部２０と連続的な形状をなす連続面形成部１０１は、後壁部５２の後外側面部６２において、絶壁状面部１０２に対して屈曲状の面部として設けられているが、このような構成に限定されるものではない。例えば、後外側面部６２を、全体的に滑らかに連続した曲面形状を有する面部とし、その後外側面部６２の上端部を連続面形成部１０１とした構成であってもよい。つまり、連続面形成部１０１と絶壁状面部１０２とが角部（屈曲部）等の境界部位を介することなく滑らかに連続的な湾曲面をなすような構成であってもよい。
【０１１０】
また、上述した実施形態では、スパウト部２０の上面２０ａおよび連続面形成部１０１の上面１０１ａは、側面視において上側を凸側とした連続的な曲線に沿う形状を有するが、このような構成に限定されるものではない。例えば、スパウト部２０の上面２０ａおよび連続面形成部１０１の上面１０１ａは、側面視で所定の直線に沿いながら連続的な面を形成してもよい。したがって、本発明に係る手洗装置としては、例えば図１７に示すような構成のものであってもよい。
【０１１１】
すなわち、図１７に示す構成においては、手洗鉢部の後壁部２５２が、水平面に沿う上面２０１ａを形成する連続面形成部２０１を有する。また、吐水口２０８を有するスパウト部２２０が、後壁部２５２の上端から水平方向に沿って直線状に突出するとともに、水平面に沿う上面２２０ａを有する。そして、連続面形成部２０１の上面２０１ａと、スパウト部２２０の上面２２０ａとが、水平面に沿って面一状に連続している。
【０１１２】
図１７に示す構成においては、手洗鉢部の側面視において、連続面形成部２０１の上面２０１ａおよびスパウト部２２０の上面２２０ａは、所定の仮想直線Ｃ２に沿った形状を有し、互いに連続的な面を形成している。
【０１１３】
このように、本発明に係る連続面形成部は、スパウト部（手洗吐水部）の上面との関係において、側面視で所定の湾曲形状を有する連続的な曲線または所定の直線に沿うようにスパウト部の上面に連続する上面をなす部分であればよい。
【符号の説明】
【０１１４】
１        手洗装置
２        水洗便器
３        洗浄水タンク
４        タンクカバー
７        手洗部
８        吐水口
９        ボウル面
２０      スパウト部（手洗吐水部）
２０ａ    上面
２２      手洗鉢部
２４      カバー上部材
５２      後壁部
７５      スパウト上面部
７５ａ    上面
７５ｄ    前側突出部
１００    トイレ装置
１０１    連続面形成部
１０１ａ  上面
１０２    絶壁状面部
【図１】
2020133289.tif 000003
【図２】
2020133289.tif 000004
【図３】
2020133289.tif 000005
【図４】
2020133289.tif 000006
【図５】
2020133289.tif 000007
【図６】
2020133289.tif 000008
【図７】
2020133289.tif 000009
【図８】
2020133289.tif 000010
【図９】
2020133289.tif 000011
【図１０】
2020133289.tif 000012
【図１１】
2020133289.tif 000013
【図１２】
2020133289.tif 000014
【図１３】
2020133289.tif 000015
【図１４】
2020133289.tif 000016
【図１５】
2020133289.tif 000017
【図１６】
2020133289.tif 000018
【図１７】
2020133289.tif 000019